【手続補正書】
【提出日】令和3年3月8日(2021.3.8)
【手続補正１】
【補正対象書類名】特許請求の範囲
【補正対象項目名】全文
【補正方法】変更
【補正の内容】
【特許請求の範囲】
【請求項１】
パウチを構成する表裏のフィルム間に配置され前記フィルムに熱溶着される取付部と、前記取付部の上方に形成され注出孔を有した注出筒部とを備えたスパウトであって、
前記取付部は、前記注出孔に連通する注出孔を有した基部と、前記基部から外周側に突出して形成され前記フィルムに熱溶着される熱溶着面を有した複数の溶着フランジとを有し、
前記複数の溶着フランジは、相互間に第１間隙部を配して上下方向に並べて形成され、
前記熱溶着面は、表裏方向の両側に、左右方向の中央側から外側に向かうに従って表裏方向の外側から中央側に寄るように形成された平面部を左右方向の両側にそれぞれ有し、
前記溶着フランジの上下幅は、前記フィルムの熱溶着層の厚み寸法をｔとした場合、１０.０〜４０.０ｔで設定され、
複数の前記溶着フランジのうち最下方の前記溶着フランジの上下幅は、他の前記溶着フランジの上下幅よりも大きく設定されていることを特徴とするスパウト。
【請求項２】
前記溶着フランジは、３つ以上形成され、
複数の前記第１間隙部のうち最下方の前記第１間隙部の上下幅は、他の前記第１間隙部の上下幅よりも大きく設定されていることを特徴とする請求項１に記載のスパウト。
【請求項３】
前記取付部は、前記溶着フランジの左右方向の両外側に形成されたフィン部と、前記第１間隙部に形成された第１接続膜とを有し、
前記フィン部は、複数の前記溶着フランジの左右方向の先端を上下方向に接続するように、複数の前記溶着フランジに共通して形成され、
前記第１接続膜は、前記第１間隙部において、前記基部と前記フィン部とを左右方向に接続するように形成されていることを特徴とする請求項１または請求項２に記載のスパウト。
【請求項４】
前記スパウトは、複数の前記溶着フランジのうち最上方の前記溶着フランジの上方に第２間隙部を介して形成された上方フランジと、前記第２間隙部において前記基部から左右方向に向けて形成された第２接続膜とを有していることを特徴とする請求項１乃至請求項３のいずれかに記載のスパウト。
【請求項５】
前記第２接続膜の左右方向外側の先端は、前記フィン部の左右方向外側の先端よりも左右方向における内側に位置していることを特徴とする請求項４に記載のスパウト。
【請求項６】
前記スパウトは、前記取付部から下方に向けて延び前記パウチの内側に内容物用の流路を形成するための下方延設部を更に有していることを特徴とする請求項１乃至請求項５のいずれかに記載のスパウト。
【請求項７】
パウチを構成する表裏のフィルム間に配置され前記フィルムに熱溶着される取付部と、前記取付部の上方に形成され注出孔を有した注出筒部とを備えたスパウトであって、
前記取付部は、前記注出孔に連通する注出孔を有した基部と、前記基部から外周側に突出して形成され前記フィルムに熱溶着される熱溶着面を有した複数の溶着フランジとを有し、
前記複数の溶着フランジは、相互間に第１間隙部を配して上下方向に並べて形成され、
前記熱溶着面は、表裏方向の両側に、左右方向の中央側から外側に向かうに従って表裏方向の外側から中央側に寄るように形成された平面部を左右方向の両側にそれぞれ有し、
前記溶着フランジの上下幅は、前記フィルムの熱溶着層の厚み寸法をｔとした場合、１０.０〜４０.０ｔで設定され、
前記溶着フランジは、３つ以上形成され、
複数の前記第１間隙部のうち最下方の前記第１間隙部の上下幅は、他の前記第１間隙部の上下幅よりも大きく設定されていることを特徴とするスパウト。
【請求項８】
パウチを構成する表裏のフィルム間に配置され前記フィルムに熱溶着される取付部と、前記取付部の上方に形成され注出孔を有した注出筒部とを備えたスパウトであって、
前記取付部は、前記注出孔に連通する注出孔を有した基部と、前記基部から外周側に突出して形成され前記フィルムに熱溶着される熱溶着面を有した複数の溶着フランジとを有し、
前記複数の溶着フランジは、相互間に第１間隙部を配して上下方向に並べて形成され、
前記熱溶着面は、表裏方向の両側に、左右方向の中央側から外側に向かうに従って表裏方向の外側から中央側に寄るように形成された平面部を左右方向の両側にそれぞれ有し、
前記溶着フランジの上下幅は、前記フィルムの熱溶着層の厚み寸法をｔとした場合、１０.０〜４０.０ｔで設定され、
前記スパウトは、複数の前記溶着フランジのうち最上方の前記溶着フランジの上方に第２間隙部を介して形成された上方フランジと、前記第２間隙部において前記基部から左右方向に向けて形成された第２接続膜とを有していることを特徴とするスパウト。
【請求項９】
前記第２接続膜の左右方向外側の先端は、前記フィン部の左右方向外側の先端よりも左右方向における内側に位置していることを特徴とする請求項８に記載のスパウト。
【請求項１０】
請求項１乃至請求項９のいずれかに記載のスパウトと、前記スパウトの前記取付部に熱溶着される表裏のフィルムを有したパウチとを備えたスパウト付きパウチであって、
前記各フィルムは、互いに対向して配置される最内層としての熱溶着層を有し、
前記熱溶着層の厚みは、５０〜１００μｍであることを特徴とするスパウト付きパウチ。
【手続補正２】
【補正対象書類名】明細書
【補正対象項目名】０００８
【補正方法】変更
【補正の内容】
【０００８】
本発明のスパウトは、パウチを構成する表裏のフィルム間に配置され前記フィルムに熱溶着される取付部と、前記取付部の上方に形成され注出孔を有した注出筒部とを備えたスパウトであって、前記取付部は、前記注出孔に連通する注出孔を有した基部と、前記基部から外周側に突出して形成され前記フィルムに熱溶着される熱溶着面を有した複数の溶着フランジとを有し、前記複数の溶着フランジは、相互間に第１間隙部を配して上下方向に並べて形成され、前記熱溶着面は、表裏方向の両側に、左右方向の中央側から外側に向かうに従って表裏方向の外側から中央側に寄るように形成された平面部を左右方向の両側にそれぞれ有し、前記溶着フランジの上下幅は、前記フィルムの熱溶着層の厚み寸法をｔとした場合、１０.０〜４０.０ｔで設定され、複数の前記溶着フランジのうち最下方の前記溶着フランジの上下幅は、他の前記溶着フランジの上下幅よりも大きく設定されていることにより、前記課題を解決するものである。
本発明のスパウトの他の態様は、パウチを構成する表裏のフィルム間に配置され前記フィルムに熱溶着される取付部と、前記取付部の上方に形成され注出孔を有した注出筒部とを備えたスパウトであって、前記取付部は、前記注出孔に連通する注出孔を有した基部と、前記基部から外周側に突出して形成され前記フィルムに熱溶着される熱溶着面を有した複数の溶着フランジとを有し、前記複数の溶着フランジは、相互間に第１間隙部を配して上下方向に並べて形成され、前記熱溶着面は、表裏方向の両側に、左右方向の中央側から外側に向かうに従って表裏方向の外側から中央側に寄るように形成された平面部を左右方向の両側にそれぞれ有し、前記溶着フランジの上下幅は、前記フィルムの熱溶着層の厚み寸法をｔとした場合、１０.０〜４０.０ｔで設定され、前記溶着フランジは、３つ以上形成され、複数の前記第１間隙部のうち最下方の前記第１間隙部の上下幅は、他の前記第１間隙部の上下幅よりも大きく設定されていることにより、前記課題を解決するものである。
本発明のスパウトの他の態様は、パウチを構成する表裏のフィルム間に配置され前記フィルムに熱溶着される取付部と、前記取付部の上方に形成され注出孔を有した注出筒部とを備えたスパウトであって、前記取付部は、前記注出孔に連通する注出孔を有した基部と、前記基部から外周側に突出して形成され前記フィルムに熱溶着される熱溶着面を有した複数の溶着フランジとを有し、前記複数の溶着フランジは、相互間に第１間隙部を配して上下方向に並べて形成され、前記熱溶着面は、表裏方向の両側に、左右方向の中央側から外側に向かうに従って表裏方向の外側から中央側に寄るように形成された平面部を左右方向の両側にそれぞれ有し、前記溶着フランジの上下幅は、前記フィルムの熱溶着層の厚み寸法をｔとした場合、１０.０〜４０.０ｔで設定され、前記スパウトは、複数の前記溶着フランジのうち最上方の前記溶着フランジの上方に第２間隙部を介して形成された上方フランジと、前記第２間隙部において前記基部から左右方向に向けて形成された第２接続膜とを有していることにより、前記課題を解決するものである。
また、本発明のスパウト付きパウチは、前記スパウトと、前記スパウトの前記取付部に熱溶着される表裏のフィルムを有したパウチとを備えたスパウト付きパウチであって、前記各フィルムは、互いに対向して配置される最内層としての熱溶着層を有し、前記熱溶着層の厚みは、５０〜１００μｍであることにより、前記課題を解決するものである。
【手続補正３】
【補正対象書類名】明細書
【補正対象項目名】０００９
【補正方法】変更
【補正の内容】
【０００９】
本請求項１、７、８に係る発明によれば、各溶着フランジの熱溶着面が、表裏方向の両側に、左右方向の中央側から外側に向かうに従って表裏方向の外側から中央側に寄るように形成された平面部を左右方向の両側にそれぞれ有するとともに、フィルムの熱溶着層の厚み寸法をｔとした場合に各溶着フランジの上下幅を１０.０〜４０.０ｔで設定することにより、フィルムに対するスパウトの熱溶着時において、フィルムに作用する押し付け圧を均等かつ低減することが可能であるため、フィルムの熱溶着層が押し付け圧によって押し出されることに起因してフィルムに損傷が生じる所謂エッジ切れを抑制することができる。
【手続補正４】
【補正対象書類名】明細書
【補正対象項目名】００１０
【補正方法】変更
【補正の内容】
【００１０】
本請求項１に係る発明によれば、最下方の溶着フランジの上下幅が、他の溶着フランジの上下幅よりも大きく設定されていることにより、スパウト付きパウチの落下時やパウチの屈曲時等において、最も大きな力が作用しがちな最下方の溶着フランジの強度を向上することが可能であるため、スパウトの耐久性を向上させることができるばかりでなく、取付部の基部に対する最下方の溶着フランジの傾きを抑制し、スパウトに対するフィルムの溶着時においてフィルムとスパウトとの位置関係を安定させることができる。
本請求項２、７に係る発明によれば、最下方の第１間隙部の上下幅が、他の第１間隙部の上下幅よりも大きく設定されていることにより、当該最下方の各第１間隙部に対応する、スパウトの射出成形時に使用される金型の凸部の強度を向上させることができ、金型の長寿命化を図ることができる。すなわち、最下方の各第１間隙部に対応する金型の凸部が、射出成形時の樹脂の流動に起因した圧力を大きく受ける箇所になる場合があるが、本請求項２、７に係る発明では、当該最下方の各第１間隙部に対応する金型の凸部の上下幅が大きく設定されるため、当該金型の凸部の耐久性を向上させ、金型の長寿命化を図ることができる。
本請求項３に係る発明によれば、溶着フランジの左右方向の両外側にフィン部を形成することにより、溶着フランジの左右方向の両端付近において生じがちな表裏のフィルム間の間隙をフィン部によって埋めることができるばかりでなく、以下の効果を奏することができる。すなわち、本請求項３に係る発明では、第１間隙部に、基部とフィン部とを左右方向に接続する第１接続膜を設けることにより、スパウトの射出成形時に、第１接続膜に対応する金型の空隙を利用して基部側からフィン部側に溶融樹脂を良好に流動させることが可能であるため、フィン部の形成精度を向上させることができる。また、本請求項３に係る発明では、第１間隙部に形成された第１接続膜によって、フィルムに対するスパウトの熱溶着時に発生しがちな所謂樹脂溜まりが表裏方向の一方側から他方側に流動することを阻止できるため、樹脂溜まりの位置を制御することが容易になる。また、本請求項３に係る発明では、第１間隙部に設ける部位を膜状とすることにより、樹脂材料の使用量の増加を抑えることができ、また、射出成形に用いられる表裏の金型を第１間隙部において当接させる必要がないため、金型の形成精度に関する要求を低下させることができる。
本請求項４、８に係る発明によれば、最上方の溶着フランジと上方フランジとの間の第２間隙部に、基部から左右方向に向けて形成された第２接続膜を設けることにより、フィルムに対するスパウトの熱溶着時に発生しがちな樹脂溜まりが、第２間隙部において、表裏方向の一方側から他方側に流動することを阻止できるため、樹脂溜まりの位置を制御して、外部から視認可能なフィルム上縁の上方に樹脂溜まりがはみ出すことを抑制できる。また、本請求項４、８に係る発明では、第２間隙部に設ける部位を膜状とすることにより、樹脂材料の使用量の増加を抑えることができ、また、射出成形に用いられる表裏の金型を第２間隙部において当接させる必要がないため、金型の形成精度に関する要求を低下させることができる。
本請求項５、９に係る発明によれば、第２接続膜の左右方向外側の先端が、フィン部の左右方向外側の先端よりも左右方向における内側に位置していることにより、フィルムに対するスパウトの熱溶着時に発生しがちな樹脂溜まりを、第２接続膜の左右方向外側のスペースに収めることが可能であるため、外部から視認可能なフィルム上縁の上方に樹脂溜まりがはみ出すことを抑制でき、特に、フィン部を溶融させた樹脂が上方側に移動してフィルム上縁の上方にはみ出すことを抑制できる。
本請求項６に係る発明によれば、取付部から下方に向けて延びる下方延設部をスパウトに形成した場合であっても、スパウトの射出成形時におけるヒケ発生を容易に抑制することができる。すなわち、下方延設部をスパウトに形成した場合、スパウトの取付部の下面側の設計に制限が加わるため、下方延設部をスパウトに形成しない場合と比較して、射出成形時におけるヒケ発生を抑制するためのスパウト各部の肉厚の設定が難しくなるが、本請求項６に係る発明では、溶着フランジ間に第１間隙部を形成することにより、スパウト各部の肉厚を調整することが可能であるため、下方延設部をスパウトに形成した場合であっても、ヒケ発生を容易に抑制することができる。